(57)【特許請求の範囲】
【請求項１】
前後方向に長い乾燥機本体に上段の貯留部と中段の乾燥部と下段の集穀部とを設け、前記乾燥部内には前記貯留部と前記集穀部とを連絡して前後方向に延びる流穀路を設けるとともにこの流穀路に隣接して前後方向に延びる遠赤外線放射室を設け、前記乾燥機本体には前記乾燥部の外側にバーナを設け、このバーナに連絡して該バーナからの熱気を流通させる遠赤外線放射体を前記遠赤外線放射室内に設けた遠赤外線穀物乾燥機において、前記遠赤外線放射体の上部には、一側カバー部と他側カバー部とで上方からの不純物が堆積しない安息角を為して断面山形形状に形成された保護部材を一体的に密着して設けたことを特徴とする遠赤外線穀物乾燥機。
【発明の詳細な説明】
【０００１】
【発明の属する技術分野】
この発明は、遠赤外線穀物乾燥機に係り、特に遠赤外線放射体から放射される遠赤外線によって穀物を乾燥する遠赤外線穀物乾燥機に関する。
【０００２】
【従来の技術】
米麦等の穀物を乾燥させる穀物乾燥機においては、精米前の籾状態の米や麦等の穀物を乾燥するものであり、循環型や平型等のものがある。
【０００３】
循環型の穀物乾燥機には、乾燥機本体内に上部から順次に、穀物が投入される貯留部と、穀物を乾燥する乾燥部と、この乾燥した穀物を集める集穀部とを設け、穀物を上段の貯留部から中段の乾燥部を経て下段の集穀部に導いた後に上段の貯留部に戻して循環させる間に、乾燥部において熱風や遠赤外線放射体から放射された遠赤外線により穀物を乾燥するものがある。
【０００４】
このような遠赤外線放射体を設けた遠赤外線穀物乾燥機としては、例えば、特開平８−１４７４６号公報、特開平９−１１３１４０号公報、特開平１０−８２５８６号公報に開示されている。特開平８−１４７４６号公報に記載のものは、貯留槽内に、流下する穀物に対して遠赤外線及び熱風を下向きに放射、噴出させる遠赤外線放射室を設けたものである。特開平９−１１３１４０号公報に記載のものは、遠赤外線放射体としての放熱管を熱風室内に設け、この放熱管の一端側にバーナを設けるとともに、放熱管の他端側を熱風室内に開口したものである。特開平１０−８２５８６号公報に記載のものは、穀物が流動する部位に遠赤外線放射体を対向して設け、この遠赤外線放射体を流動する穀物に対向する面が転換されるように回転させるものである。
【０００５】
【発明が解決しようとする課題】
ところが、従来、遠赤外線穀物乾燥機においては、遠赤外線放射体をそのまま遠赤外線放射室内や熱風路内に組み込んでいたので、特に遠赤外線放射体の上面に埃やゴミ等の不純物が堆積してしまい、遠赤外線放射体が熱によって炭化したり、また、遠赤外線の放射が邪魔をされ、穀物の乾燥が低下し、しかも、ユーザーがその不純物を頻繁に除去する必要があり、その除去作業が面倒であるという不都合があった。
【０００６】
【課題を解決するための手段】
そこで、この発明は、上述の不都合を除去するために、前後方向に長い乾燥機本体に上段の貯留部と中段の乾燥部と下段の集穀部とを設け、前記乾燥部内には前記貯留部と前記集穀部とを連絡して前後方向に延びる流穀路を設けるとともにこの流穀路に隣接して前後方向に延びる遠赤外線放射室を設け、前記乾燥機本体には前記乾燥部の外側にバーナを設け、このバーナに連絡して該バーナからの熱気を流通させる遠赤外線放射体を前記遠赤外線放射室内に設けた遠赤外線穀物乾燥機において、前記遠赤外線放射体の上部には、一側カバー部と他側カバー部とで上方からの不純物が堆積しない安息角を為して断面山形形状に形成された保護部材を一体的に密着して設けたことを特徴とする。
【０００７】
【発明の実施の形態】
この発明は、一側カバー部と他側カバー部とで上方からの不純物が堆積しない安息角を為して断面山形形状に形成された保護部材を遠赤外線放射体の上部に一体的に密着して設け、埃やゴミ等の不純物が遠赤外線放射体に堆積するのを防止することから、遠赤外線放射体の熱によって炭化されるのを防止し、また、遠赤外線放射体からの遠赤外線を良好に放射させ、穀物の乾燥を向上することができ、更に、風等で埃が舞い上がるのを防止し、しかも、ユーザーが不純物を除去する必要がないので、その除去作業を省略させることができる。
【０００８】
【実施例】
以下図面に基づいてこの発明の実施例を詳細且つ具体的に説明する。図１〜７は、この発明の実施例を示すものである。図６、７において、２は循環型の遠赤外線穀物乾燥機、４は乾燥機本体、６は貯留部、８は乾燥部、１０は集穀部である。穀物乾燥機２は、前板１２と後板１４と一側、他側側板１６−１、１６−２とによって前後方向に長い乾燥機本体４を形成している。この穀物乾燥機２内には、上部から順次に、穀物が投入される貯留部６と、穀物を乾燥する乾燥部８と、この乾燥した穀物を集める集穀部１０とが設けられている。
【０００９】
また、乾燥機本体４には、前板１２側に揚穀機１８が設けられ、貯留部６の上方には揚穀機１８の上部に連絡する上部搬送手段２０が設けられ、集穀部１０の下方には揚穀機１８の下部に連絡する下部搬送手段２２が設けられている。
【００１０】
これにより、穀物乾燥機２においては、揚穀機１８により揚上した穀物を上部搬送手段２０により貯留部６内に均分落下させ、乾燥部８において穀物を乾燥した後に集穀部１０に集め、下部搬送手段２２により揚穀機１８の下部に搬送して再び揚上するという循環を繰り返して穀物の乾燥を行っている。
【００１１】
また、乾燥部８の外側で乾燥機本体４の前板１２には、液体燃料を燃焼して熱気を発生するガンタイプのバーナ２４が取り付けられている。また、乾燥部８の外側で乾燥機本体４の後板１４には、内部の穀物の乾燥後の熱気を吸引して排出する排風機２６が取り付けられている。
【００１２】
このバーナ２４及び排風機２６は、前板１２に取り付けられた制御盤２８によって駆動制御されるものである。
【００１３】
乾燥部８内においては、貯留部６と集穀部１０とを連絡して乾燥機本体４の前後方向に長く延びるように、一側第１、一側第２仕切り板３０−１Ａ、３０−１Ｂによって一側第１流穀路３２−１Ａが形成され、一側第３、一側第４仕切り板３０−１Ｃ、３０−１Ｄによって一側第２流穀路３２−１Ｂが形成され、また、他側第１、他側第２仕切り板３０−２Ａ、３０−２Ｂによって他側第１流穀路３２−２Ａが形成され、他側第３、他側第４仕切り板３０−２Ｃ、３０−２Ｄによって他側第２流穀路３２−２Ｂが形成されている。これら各仕切り板３０は、熱気を流通し易いように、多孔板や網状部材等からなる通気性の良い部材で形成されている。
【００１４】
また、一側第１仕切り板３０−１Ａと他側第１仕切り板３０−２Ａとの間で略中央部位には、中央排風路３４Ｍが形成され、一側第４仕切り板３０−１Ｄと一側側板１６−１の間には一側排風路３４−１が形成され、他側第４仕切り板３０−２Ｄと他側側板１６−２の間には他側排風路３４−２が形成されている。これら各排風路３４は、上部位及び下部位で閉塞されている。
【００１５】
更に、一側第２仕切り板３０−１Ｂと一側第３仕切り板３０−１Ｃとの間には、一側第１流穀路３２−１Ａ及び一側第２流穀路３２−１Ｂに隣接して一側遠赤外線放射室３６−１が形成される。また、他側第２仕切り板３０−２Ｂと他側第３仕切り板３０−２Ｃとの間には、他側第１流穀路３２−２Ａ及び他側第２流穀路３２−２Ｂに隣接して他側遠赤外線放射室３６−２が形成される。これら遠赤外線放射室３６は、幅が比較的小さく且つ流穀路３２と略同じ高さに形成され、上部位及び下部位で閉塞されている。
【００１６】
遠赤外線放射室３６内には、遠赤外線放射体として遠赤外線放射構成体３８が設けられる。この遠赤外線放射構成体３８は、中央放熱管４０Ｍと上側放熱管４０−１と下側放熱管４０−２と戻り管組立て部材４２とが一体的になって構成されている。中央放熱管４０Ｍと上側放熱管４０−１と下側放熱管４０−２とには、表面にセラミックス等の遠赤外線放射素材が付設されている。よって、中央放熱管４０Ｍと上側放熱管４０−１と下側放熱管４０−２とは、内部に流れるバーナ２４からの熱気によって加熱されると、遠赤外線を放射するものである。戻り管組立て部材４２は、中央集合部４４と上側湾曲管４６−１と下側湾曲管４６−２とが一体的になって構成されている。また、この中央放熱管４０Ｍと上側放熱管４０−１と下側放熱管４０−２とは、幅が比較的小さな遠赤外線放射室３６に配設されることから、スペース的なことを考慮し、短軸Ｘが横方向で且つ長軸Ｙが上下方向に指向して夫々断面楕円形状に形成されている（図３参照）。
【００１７】
中央放熱管４０Ｍは、一端側が熱気を発生するバーナ２４に連結されているとともに、他端側が戻り管組立て部材４２の中央集合部４４に連結されている。上側放熱管４０−１は、一端側が戻り管組立て部材４２の上側湾曲管４６−１に上側絞り部材４８−１を介して連結されているとともに、他端側の上側開口５０−１がバーナ２４近くの遠赤外線放射室３６内に開口している。下側放熱管４０−２は、一端側が戻り管組立て部材４２の下側湾曲管４６−２に下側絞り部材４８−２を介して連結されているとともに、他端側の下側開口５０−２がバーナ２４近くの遠赤外線放射室３６内に開口している。
【００１８】
中央放熱管４０Ｍの上部と上側放熱管４０−１とは、上側連結体５２−１で一体に平行に連結されている。また、中央放熱管４０Ｍの下部と下側放熱管４０−２とは、下側連結体５２−２で一体に平行に連結されている。
【００１９】
また、遠赤外線放射構成体３８の上部には、埃やゴミ等の不純物の堆積を防止する保護部材（カバー）５４が設けられる。この実施例においては、バーナ２４に近くで高温の熱気が送られる中央放熱管４０Ｍの上部には、保護部材５４が一体的に設けられる（図１の斜線部分で示す）。この保護部材５４は、一側カバー部５４−１と他側カバー部５４−２とで断面山形形状に形成され、一端側が中央放熱管４０Ｍの一端部位から他端側が戻り管組立て部材４２の中央集合部４４までの長さで、風等で埃が舞い上がらないように、中央放熱管４０Ｍの上部に密着して一体的に取り付けられ、且つ、中央放熱管４０Ｍの一部である上部のみを覆い、中央放熱管４０Ｍの下方向及び左右方向を開放している。また、保護部材５４は、図２、３に示す如く、断面山形の一側カバー部５４−１と他側カバー部５４−２との角度θが、上方からの不純物が堆積しない安息角として６０度以下に設定されている。
【００２０】
また、下側湾曲管４６−２と下側絞り部材４８−２と下側放熱管４０−２の他端側の一部には、他の保護部材としてのエルボ偏平管カバー組付体５６が一体的に密着して取り付けられている。このエルボ偏平管カバー組付体５６は、上述の保護部材５４と同じ様な形状に形成されている。
【００２１】
次に、この実施例の作用を説明する。
【００２２】
遠赤外線穀物乾燥機２は、運転を開始すると、制御盤２８の操作によってモータ（図示せず）を駆動し、穀物を上段の貯留部６から中段の乾燥部８を経て下段の集穀部１０に導いた後に、再び揚上して循環させる。
【００２３】
この遠赤外線穀物乾燥機２は、穀物の循環中に、制御盤２８の操作によってバーナ２４を着火燃焼させて熱気を発生し、この熱気を遠赤外線放射構成体３８の各放熱管４０内に流して遠赤外線を放射させ、流穀路３２内を流通する穀物を乾燥する。また、各放熱管４０を加熱した熱気は、遠赤外線放射室３６内に流入し、排風機２６の吸引力により流穀路３２を通過して排風路３４に流れ、流穀路３２の穀物を乾燥して排風機２６により外部に排出される。
【００２４】
これにより、遠赤外線穀物乾燥機２は、貯留部６と乾燥部８と集穀部１０と循環させる間に、乾燥部８において熱気及び各放熱管４０から放射された遠赤外線により穀物を乾燥する。
【００２５】
また、この穀物の循環中に、埃やゴミ等の不純物が遠赤外線放射構成体３８に落下するが、この不純物が保護部材５４によってその堆積が防止され、特に、バーナ２４近くで高温の熱気が流通する中央放熱管４０Ｍには堆積することがない。
【００２６】
これにより、特に、バーナ２４近くの高温となる中央放熱管４０Ｍを保護し、この中央放熱管４０Ｍの熱によって埃やゴミ等の不純物が炭化されるのを防止し、また、中央放熱管４０Ｍからの遠赤外線を良好に放射させ、穀物の乾燥を向上することができ、しかも、ユーザーが不純物を除去する必要がないので、その除去作業を省略させることができる。
【００２７】
また、中央放熱管４０Ｍと上側放熱管４０−１と下側放熱管４０−２とは、短軸が横方向で且つ長軸が上下方向に指向して断面楕円形状に形成されているので、幅が比較的小さな遠赤外線放射室３６にでも容易に配設させることができ、レイアウトが容易で、且つ、スペース的に有利とすることができる。
【００２８】
更に、保護部材５４が中央放熱管４０Ｍの一部である上部のみを覆い、中央放熱管４０Ｍの下方向及び左右方向が開放されているので、中央放熱管４０Ｍからの放射方向及び面域が広くなり、遠赤外線による穀物の乾燥能率を向上することができる。
【００２９】
更にまた、保護部材５４は、一端側が中央放熱管４０Ｍの一端部位から他端側が戻り管組立て部材４２の中央集合部４４までの長さで、中央放熱管４０Ｍの上部に密着して一体的に取り付けられているので、風等で埃が舞い上がるのを防止することができる。
【００３０】
また、保護部材５４においては、断面山形の一側カバー部５４−１と他側カバー部５４−２との角度θが安息角として６０度以下に設定されているので、上方からの不純物が下方に円滑に落下し、不純物の堆積を効果的に防止することができる。
【００３１】
なお、この発明においては、保護部材を、中央放熱管のみならず、上側放熱管及び下側放熱管にも設け、全ての放熱管から遠赤外線を良好に放射させ、穀物の乾燥をさらに向上させることも可能である。
【００３２】
【発明の効果】
以上詳細な説明から明らかなようにこの発明によれば、遠赤外線放射体の上部には、一側カバー部と他側カバー部とで上方からの不純物が堆積しない安息角を為して断面山形形状に形成された保護部材を一体的に密着して設けたことにより、埃やゴミ等の不純物が遠赤外線放射体に堆積するのを防止し、遠赤外線放射体の熱によって炭化するのを防止し、また、遠赤外線放射体からの遠赤外線を良好に放射させ、穀物の乾燥を向上することができ、更に、風等で埃が舞い上がるのを防止し、しかも、ユーザーが不純物を除去する必要がないので、その除去作業を省略させ得る。
【図面の簡単な説明】
【図１】遠赤外線放射構成体の側面図である。
【図２】遠赤外線放射構成体の正面図である。
【図３】図２の遠赤外線放射構成体の一部拡大図である。
【図４】遠赤外線放射構成体を組み込んだ遠赤外線穀物乾燥機の乾燥部と集穀部との一部切欠き断面図である。
【図５】遠赤外線放射構成体を組み込んだ遠赤外線穀物乾燥機の乾燥部と集穀部との一部切欠き正面図である。
【図６】遠赤外線穀物乾燥機の側面図である。
【図７】遠赤外線穀物乾燥機の正面図である。
【符号の説明】
２  遠赤外線穀物乾燥機
４  乾燥機本体
６  貯留部
８  乾燥部
１０  集穀部
２４  バーナ
２６  排風機
２８  制御盤
３２  流穀路
３６  遠赤外線放射室
３８  遠赤外線放射構成体
４０  放熱管
５４  保護部材
【図１】
0003603219.tif 000002
【図２】
0003603219.tif 000003
【図３】
0003603219.tif 000004
【図４】
0003603219.tif 000005
【図５】
0003603219.tif 000006
【図６】
0003603219.tif 000007
【図７】
0003603219.tif 000008